(57)【要約】【課題】ペットが容易に出入りすることができるとともに、排泄物処理材の外部への飛散を防ぐことができるペット用トイレを提供すること。【解決手段】ペットの排泄物を受ける本体部２と、本体部２の上部に着脱可能に取り付けられたカバー部３とで構成されている。カバー部３の周壁の一部に、ペットが出入りするための出入口３ａが設けられている。出入口３ａの下端周縁に、内側に向かって略水平に延びる第１足置き部３ｂと、第１足置き部３ｂの内端縁から上方に立ち上がる立壁部３ｃを一体に連設する。【選択図】図５
2020022414.tif 000002
【特許請求の範囲】
【請求項１】
ペットの排泄物を受ける本体部と、該本体部の上部に着脱可能に取り付けられたカバー部とで構成され、
前記本体部は、上面が開口する箱状の上容器と下容器とを両者の間に空間が形成されるよう上下に重ねて構成され、
前記カバー部は、その周壁の一部に、ペットが出入りするための出入部が設けられた、ペット用トイレであって、
前記カバー部の前記出入部の下端周縁に、内側に向かって略水平に延びる第１足置き部と、該第１足置き部の内端縁から上方に立ち上がる立壁部を一体に連設した、ペット用トイレ。
【請求項２】
前記立壁部の高さＣを１０ｍｍ以上に設定した、請求項１に記載のペット用トイレ。
【請求項３】
前記第１足置き部の奥行き長さＤを１５ｍｍ以上に設定した、請求項１又は２に記載のペット用トイレ。
【請求項４】
前記第１足置き部の水平面に対する傾斜角を±２０度以下に設定した、請求項１〜３のいずれか一項に記載のペット用トイレ。
【請求項５】
前記立壁部の水平面に対する傾斜角を４５度〜９０度に設定した、請求項１〜４のいずれか一項に記載のペット用トイレ。
【請求項６】
前記第１足置き部のトイレ載置面からの高さＡと、前記立壁部の前記上容器の底面からの高さＢとの比Ａ：Ｂを１．０：１．６〜１．６：１．０に設定した、請求項１〜５のいずれか一項に記載のペット用トイレ。
【請求項７】
前記立壁部の内端縁から内側に向かって略水平に延びる第２足置き部を更に前記第１足置き部及び該立壁部と一体に連設した、請求項１〜６のいずれか一項に記載のペット用トイレ。
【請求項８】
前記第１足置き部、前記立壁部、前記第２足置き部の各奥行き長さＤ，Ｅ，Ｆの間に、Ｄ＞Ｆ＞Ｅなる大小関係が成立する、請求項７に記載のペット用トイレ。
【請求項９】
前記第１足置き部の奥行き長さＤの前記出入部下端縁の奥行き長さＧに対する比率Ｄ／Ｇを０．５以上に設定した、請求項１〜８のいずれか一項に記載のペット用トイレ。
【請求項１０】
前記上容器の底部に、ペットから排泄される尿を通過させるメッシュ状の尿通過部を形成するとともに、該尿通過部上に粒状の排泄物処理材を敷設した、請求項１〜９のいずれか一項に記載のペット用トイレ。
【請求項１１】
ペットから排泄される尿を受けるトレーを前記上容器と前記下容器の間の空間に収容した、請求項１〜１０のいずれか一項に記載のペット用トイレ。
【請求項１２】
前記トレーは、前記空間に対して挿脱可能である、請求項１１に記載のペット用トイレ。
【請求項１３】
前記ペットは、猫である、請求項１〜１２のいずれか一項に記載のペット用トイレ。
【発明の詳細な説明】
【技術分野】
【０００１】
本発明は、ペットの排泄時に用いられるペット用トイレに関する。
【背景技術】
【０００２】
家庭で飼育している猫などのペットが屋内などで排泄するためのペット用トイレに関してこれまでに種々の提案がなされている（例えば、特許文献１〜４参照）。ペット用トイレは、ペットの排泄物を受ける本体部と、該本体部の上部に着脱可能に取り付けられたカバー部とで構成されている。本体部は、上面が開口する箱状の上容器と下容器とを両者の間に空間が形成されるよう上下に重ねて構成され、カバー部の周壁の一部に、ペットが出入りするための出入部が設けられている。
【０００３】
上容器の底部には、ペットから排泄される尿を通過させるメッシュ状（スノコ状）の尿通過部が形成されており、この尿通過部の上には猫砂などの粒状の排泄物処理材が敷設されている。本体部の上容器と下容器との間に形成された空間には、容器状のトレーが挿脱（出し入れ）可能に収容されている。
【先行技術文献】
【特許文献】
【０００４】
【特許文献１】特開２０１７−１４６７２９号公報
【特許文献２】特開２０１６−１５８５６２号公報
【特許文献３】特開２００６−２０４２３０号公報
【特許文献４】特開２００６−３２０２９５号公報
【発明の概要】
【発明が解決しようとする課題】
【０００５】
猫などのペットが排泄のためにペット用トイレの出入部から入るときには、前足を出入部の下端縁に載せ、この下端縁を踏み台として当該ペット用トイレの内部に頭から入ることが多い。そして、排泄を終えたペットは、ペット用トイレの内部で体勢を反転し、頭を前にして前足を出入部の下端縁に載せ、この下端縁を踏み台としてペット用トイレから出ることが多い。ところで近年、ペットの寿命が延び高齢のペットの数が増加している。しかし、高齢のペットは足腰が弱っておりトイレに出入りすることが容易でない。そこで高齢のペットでも容易に使用し得るトイレが望まれている。
【０００６】
したがって本発明の課題は、ペットが容易に出入りすることができるトイレを提供することにある。
【課題を解決するための手段】
【０００７】
本発明は、ペットの排泄物を受ける本体部と、該本体部の上部に着脱可能に取り付けられたカバー部とで構成され、前記本体部は、上面が開口する箱状の上容器と下容器とを両者の間に空間が形成されるよう上下に重ねて構成され、前記カバー部は、その周壁の一部に、ペットが出入りするための出入部が設けられたペット用トイレにおいて、前記カバー部の前記出入部の下端周縁に、内側に向かって略水平に延びる第１足置き部と、該第１足置き部の内端縁から上方に立ち上がる立壁部を一体に連設することにより前記の課題を解決したものである。
【発明の効果】
【０００８】
本発明によれば、ペットがトイレに容易に出入りすることができる。
【図面の簡単な説明】
【０００９】
【図１】図１は、本発明のペット用トイレの好ましい一実施形態を模式的に示す斜視図である。
【図２】図２は、図１に示すペット用トイレの出入部近傍の部分斜視図である。
【図３】図３は、図１に示すペット用トイレの出入部近傍の部分正面図である。
【図４】図４は、図３のＡ−Ａ線拡大断面図である。
【図５】図５は、図１に示すペット用トイレの出入部近傍の寸法関係を模式的に示す部分側断面図である。
【図６】図６は、本発明のペット用トイレの他の実施形態における出入部近傍の寸法関係を模式的に示す部分側断面図である。
【発明を実施するための形態】
【００１０】
以下本発明をその好ましい実施形態に基づき図面を参照しながら説明する。図１〜図５には本発明のペット用トイレの一実施形態が示されている。ペット用トイレ１は、猫などのペットの屋内での排泄時に用いられるものである。トイレ１は樹脂によって矩形ボックス状に構成されている。なお図１において、互いに直交する同図中の矢印方向をそれぞれ前後方向、左右方向、高さ方向とする。
【００１１】
図１に示すペット用トイレ１は、ペットの排泄物を受ける本体部２と、該本体部２の上部に着脱可能に取り付けられたカバー部３とで構成されている。図４及び図５に示すとおり、本体部２は、上面が開口する上容器２Ａと下容器２Ｂとを両者の間に空間Ｓが形成されるよう上下に重ねて構成されている。
【００１２】
上容器２Ａと下容器２Ｂとは、前後方向の長さが左右方向の長さよりも長い縦長の長方形容器として構成されている。上容器２Ａは、図４及び図５に示すように、その周囲がすり鉢状の凹曲面をなしている。この上容器２Ａの周囲を除く部分は、水平の平坦な底部をなしている。この底部には、図１及び図２に示すとおり、ペットから排泄される尿を通過させるメッシュ状（スノコ状）の尿通過部２ａが形成されている。上容器２Ａの底部に形成された尿通過部２ａの上には、猫砂などと称される粒状の排泄物処理材（不図示）が敷設されている。排泄物処理材としては、例えば植物由来の素材の粉砕物、合成樹脂、粘土鉱物等の成分の１種以上を含んで成形された粒状物質が使用される。粒状物質としては、例えば本出願人が先に出願した特開２００６−２０４２４９号公報に記載の耐水性を有する排泄物処理材などが挙げられる。尿通過部２ａには、スリット状の多数の孔が形成されている。各孔のサイズは、尿の通過は許容するが、排泄物処理材の通過を阻止することができる大きさに設定されている。
【００１３】
ペット用トイレ１は、例えば図５に示すとおり、屋内の水平床面（トイレ載置面）ＦＬに本体部２が下になるようにして設置される。本体部２の下容器２Ｂは、その底面が水平な平坦面をなしている。下容器２Ｂと上容器２Ａとの間には、図４及び図５に示すとおり、前述のように空間Ｓが形成されている。空間Ｓには、図１〜図３に示すとおり、矩形容器状のトレー４が収容される。トレー４は、ペットから排泄されて上容器２Ａの尿通過部２ａを通過する尿を受けて回収するためのものであり、空間Ｓ内に前後方向（図１の矢印ａ，ｂ方向）に挿脱（出し入れ）可能に収容されている。トレー４の前面の幅方向中央部には、該トレー４を本体部２（下容器２Ｂ）に対して出し入れする際に人が手を差し込むための矩形凹状の把手部４ａが形成されている。
【００１４】
図４に示すように、本体部２の上容器２Ａと下容器２Ｂの各上面開口部の周縁には、外側に折り曲げられた平坦なフランジ部２ｂ，２ｃがそれぞれ形成されている。詳細には、上容器２Ａの上面開口部の周縁には、外側に向かって逆Ｕ字状に折り曲げられた突起状の嵌合凸部２Ａ１と、この嵌合凸部２Ａ１の下端から外側に向かって水平に延びる前記フランジ部２ｂとが形成されている。また、下容器２Ｂの上面開口部の周縁には、外側に向かって逆Ｕ字状に折り曲げられた折曲部２Ｂ１が形成されており、この折曲部２Ｂ１の水平部分が前記フランジ部２ｃとして構成されている。このように、上容器２Ａと下容器２Ｂの各開口部の周縁に嵌合凸部２Ａ１と折曲部２Ｂ１がそれぞれ形成されることによって、上容器２Ａと下容器２Ｂの剛性が高められている。この結果、これらの上容器２Ａと下容器２Ｂの変形が防止できるようになっている。
【００１５】
図４に示すように、上容器２Ａのフランジ部２ｂを下容器２Ｂのフランジ部２ｃの上に重ねるようにして、上容器２Ａを下容器２Ｂの上に重ねて両者を組み付けることによって本体部２が構成されている。上下に重ねられた上容器２Ａと下容器２Ｂとの間には、先に述べた空間Ｓが形成されている。
【００１６】
本体部２の上部に着脱可能に取り付けられたカバー部３は、下面が開口する略矩形のドーム型に成形されている。カバー部３は、下面と前面が矩形状に開口するカバー本体３Ａと、このカバー本体３Ａの前面開口部の周縁に嵌め込まれて該カバー本体３Ａと一体化された矩形枠３Ｂとの２部材で構成されている。カバー部３の前面には、ペットが出入りするための出入部としての略矩形の出入口３ａが開口している。カバー本体３Ａの下面開口部周縁には、図４に示すように、逆Ｕ字状の嵌合凹部３Ａ１が形成されており、この嵌合凹部３Ａ１を上容器２Ａの上面開口部周縁に突設された嵌合凸部２Ａ１に上から被せて嵌め込むことによって、前述のようにカバー部３が本体部２の上部に着脱可能に取り付けられる。
【００１７】
ペット用トイレ１においては、図４及び図５に示すように、カバー部３の前面に開口する出入口３ａの下端周縁に、内側（図４及び図５の右側）に向かって略水平に延びる第１足置き部３ｂと、該第１足置き部３ｂの内端縁から斜め上方に立ち上がる立壁部３ｃと、該立壁部３ｃの内端縁から内側に向かって略水平に延びる第２足置き部３ｄが一体に連設されている。
【００１８】
以上のように構成されたペット用トイレ１は、例えば、図５に示すとおり、屋内の水平な床面（トイレ載置面）ＦＬ上に設置されて猫などのペットの排泄時に用いられる。トイレ１においては、図４及び図５に示すとおり、出入口３ａの下端周縁に、第１足置き部３ｂと立壁部３ｃ及び第２足置き部３ｄが一体に連設されている。そのため、ペットが排泄のためにトイレ１の出入口３ａから中に入る場合には、ペットは、先ず、前足の一方を第１足置き部３ｂの上に載せる。そして、ペットは、この第１足置き部３ｂを踏み台としてトイレ１の中に入る。排泄を終えたペットは、トイレ１の中で体を１８０度反転させ、第２足置き部３ｄを踏み台にして、あるいは第２足置き部３ｄをまたいで越えて、トイレ１の中から外に出る。第２足置き部３ｄをまたぐ場合には、第１足置き部３ｂを踏み台にするか、あるいは第１足置き部３ｂを踏まずに直接外に出る。したがって、ペットがトイレ１に出入りする場合には、トイレ１に入るときの段差と、トイレ１から出るときの段差との差異が小さいことが有利である。この観点から、第１足置き部３ｂのトイレ載置面からの高さをＡとし、立壁部３ｃの上容器２Ａの底面からの高さをＢとした場合、Ａ：Ｂを、１．０：１．６〜１．６：１．０の範囲に設定することが好ましく、１．０：１．５〜１．５：１．０の範囲に設定することが更に好ましく、１．０：１．２〜１．５：１．０の範囲に設定することが一層好ましい。ここで高さＢとは、上容器２Ａの底面の表面から立壁部３ｃにおける最も高い位置までの距離と同じ意味である。高さＡ及びＢをこのように設定することで、足腰の弱い高齢のペットであっても、トイレ１への出入りが容易になる。
【００１９】
ところで猫などのペットは、排泄後に粒状の排泄物処理材を掻いて後方へ飛ばすことによって、排泄物を排泄物処理材で覆って隠す習性がある。このときに排泄物処理材がペット用トイレ１から外部に飛び出て床面上に飛散してしまうことがある。しかし本実施形態のトイレ１においては、第１足置き部３ｂの内端縁から上方に立ち上がる立壁部３ｃを設けているので、ペットの習性によって排泄後に排泄物処理材が出入口３ａに向かって掻き飛ばされたとしても、掻き飛ばされる排泄物処理材は立壁部３ｃに阻まれて、出入口３ａから外部へ飛び出しづらくなっている。したがって、排泄後にトイレ１の周囲に飛散した排泄物処理材を拾い集めて清掃するなどの後始末が不要あるいは軽減され、飼い主の肉体的負担が軽減される。
【００２０】
ペット用トイレ１は、第２足置き部３ｄを更に第１足置き部３ｂ及び立壁部３ｃと一体に連設している。そのため、ペットがトイレ１から出る場合に第１足置き部３ｂを踏み台とするか第２足置き部３ｄを踏み台とするか選択することが可能となり、足腰の弱い高齢のペットであっても、トイレ１への出入りが容易になる。それとともに、排泄後にペットが排泄物処理材を出入口３ａに向かって掻き飛ばしたとしても、掻き飛ばされた排泄物処理材が第２足置き部３ｄに阻まれて、出入口３ａから外部へ飛び出しづらくなっている。
【００２１】
ペットがペット用トイレ１に一層容易に出入りできるようにするためには、高さＡ及びＢがそれぞれ低いことが好ましい。しかし、トイレ１へのペットの出入りを容易にするために、高さＡ及びＢを低くすると、上述のとおり、排泄後のペットの習性で粒状の排泄物処理材を掻いて後方へ飛ばす際に、排泄物処理材がトイレ１から外部に飛び出て床面上に飛散してしまうことがある。このように、トイレ１への出入りの容易性と、排泄物処理材の飛散防止性とは二律背反の関係にある。この課題を解決すべく本発明者が鋭意検討したところ、高さＡ及びＢを上述した関係に設定することに加えて、高さＢを、８０ｍｍ以上に設定することが好ましく、９０ｍｍ以上に設定することが更に好ましいことを知見した。高さＢの上限値は、１６０ｍｍ以下に設定することが好ましく、１４０ｍｍ以下に設定することが更に好ましい。
【００２２】
一方、高さＡに関しては、６０ｍｍ以上に設定することが好ましく、８０ｍｍ以上に設定することが更に好ましい。高さＡの上限値は、１８０ｍｍ以下に設定することが好ましく、１４５ｍｍ以下に設定することが更に好ましい。
【００２３】
ペット用トイレ１へのペットの出入りの容易性や排泄物処理材の飛散防止性は、第１足置き部３ｂの奥行き長さＤとも関係している。詳細には第１足置き部３ｂの奥行き長さＤは、ペットが足を置くために必要十分なように、また排泄物処理材が飛散しづらくなるようにするために、１５ｍｍ以上に設定することが好ましく、２５ｍｍ以上に設定することが更に好ましく、そして、ペットがペット用トイレ１内で排泄しやすい十分な空間を確保するために、７５ｍｍ以下に設定することが好ましく、５０ｍｍ以下に設定することが更に好ましい。
【００２４】
第１足置き部３ｂは、ペットが足を置きやすくするために略水平であることが好ましい。水平面に対する第１足置き部３ｂの傾斜角は、±２０度以下の値に設定することが好ましく、±１０度以下に設定することが更に好ましい。
【００２５】
図５に示すように、出入口３ａの下端縁の奥行き長さをＧとした場合、奥行き長さＧに対する第１足置き部３ｂの奥行き長さＤの比率Ｄ／Ｇを、０．５以上とすることが好ましく、０．６以上とすることが更に好ましく、０．７以上にすることが特に好ましい。そして、０．９５以下とすることが好ましく、０．９以下とすることが更に好ましい。Ｄ／Ｇの値をこのように設定することによっても、ペット用トイレ１へのペットの出入りの容易性と排泄物処理材の飛散防止性および、排泄しやすい十分な空間の確保とが図られる。
【００２６】
図５に示すように、第２足置き部３ｄの奥行き長さＦは、ペットが足を仮置きする程度の長さで十分であり、２ｍｍ以上に設定することが好ましく、３ｍｍ以上に設定することが更に好ましく、そして、１５ｍｍ以下に設定することが好ましく、１０ｍｍ以下に設定することが更に好ましい。
【００２７】
本実施形態では、図５に示すとおり、立壁部３ｃを第１足置き部３ｂの後端縁から内側に向かって斜めに立ち上がるよう形成してある。立壁部３ｃの水平面に対する傾斜角は、４５度以上に設定することが好ましく、６０度以上に設定することが更に好ましく、そして、９０度以下に設定することが好ましく、８５度以下に設定することが更に好ましい。具体的には、４５度以上９０度以下に設定することが好ましく、６０度以上８５度以下に設定することが更に好ましい。立壁部３ｃは、垂直に起立したもの（傾斜角９０度のもの）であってもよい。ペット用トイレ１へのペットの出入りの容易性と排泄物処理材の飛散防止性とが図られる限りにおいて、立壁部３ｃは、トイレ内部から出入口３ａ側に向けて傾斜していてもよい。
【００２８】
立壁部３ｃの起立角度との関係で、排泄物処理材のペット用トイレ１からの飛び出しを防ぐためには、立壁部３ｃの高さＣを１０ｍｍ以上に設定することが好ましく、１５ｍｍ以上に設定することが更に好ましく、そして、１００ｍｍ以下に設定することが好ましく、７５ｍｍ以下に設定することが更に好ましい。
【００２９】
ペット用トイレ１における第２足置き部３ｄの床面（トイレ載置面）ＦＬからの高さＨ（＝Ａ＋Ｃ、図５参照）は、１００ｍｍ以上に設定することが好ましく、１２５ｍｍ以上に設定することが更に好ましく、そして、３００ｍｍ以下に設定することが好ましく、２００ｍｍ以下に設定することが更に好ましい。こうすることによっても、トイレ１へのペットの出入りの容易性と排泄物処理材の飛散防止性とが図られる。
【００３０】
第１足置き部３ｂ、立壁部３ｃ、第２足置き部３ｄの奥行き長さを図５に示すようにそれぞれＤ，Ｅ，Ｆとした場合、これらの間にＤ＞Ｆ＞Ｅなる大小関係が成立するように、これらの部位の寸法を決定することが好ましい。こうすることによっても、ペット用トイレ１へのペットの出入りの容易性と排泄物処理材の飛散防止性とが図られる。この効果を一層顕著なものとする観点から、立壁部３ｃの奥行き長さＥに対する第１足置き部３ｂの奥行き長さＤの比率Ｄ／Ｅは、３以上であることが好ましく、５以上あることが更に好ましく、そして、１００以下であることが好ましく、３０以下であることが更に好ましい。また、立壁部３ｃの奥行き長さＥに対する第２足置き部３ｄの奥行き長さＦの比率Ｆ／Ｅは、１以上であることが好ましく、１．２以上であることが更に好ましく、そして、５以下であることが好ましく、３以下であることが更に好ましい。
【００３１】
以上のように構成されたペット用トイレ１の一般的な使用方法としては、先ず、上容器２Ａを下容器２Ｂの上に重ねて両者を組み付けて本体部２を形成する。次に、本体部２の空間Ｓに、マットやシートなどの尿を吸収することが可能な吸収体を設置したトレー４を押し込む。その後、上容器２Ａの底部に粒状の排泄物処理材を敷設する。そして、本体部２の上部にカバー部３を取り付けることによりトイレ１が使用可能となる。
トイレ１をペットが使用する場合、ペットは、トイレ１の前面に開口する出入口３ａから頭を先にしてトイレ１の中に容易に入ることができ、本体部２の上容器２Ａの底部上に載った状態で、該底部に敷設された粒状の排泄物処理材の上に排泄を行う。このとき、ペットの周囲がトイレ１のカバー部３によって覆われて自らの排泄の様子が外からは見えないため、ペットは周囲を気にすることなく落ち着いて排泄を行うことができる。また、トイレ１からペットが外に出ることも容易である。
【００３２】
ペットから排泄された尿や糞などの排泄物は、図１及び図２に示すとおり、上容器２Ａの底部に形成された尿通過部２ａを通過して落下し、その下の空間Ｓに収容されたトレー４によって受けられる。トレー４に尿が一定量溜まった場合、把手部４ａに手を差し込んでトレー４を手前側（図１の矢印ａ方向）に引き出し、吸収体を廃棄する。廃棄した後は、トレー４に新しい吸収体を設置し、トレー４を奥側（図１の矢印ｂ方向）に押し込んでペット用トイレ１の所定位置にセットし直して使用する。上容器２Ａの底部に排泄物や汚れた排泄物処理材が存在する場合には、それらをトイレ１から取り除き、取り除いた量と同等の排泄物処理材を補充して使用する。
【００３３】
次に、本発明の他の実施形態を、図６を参照して説明する。本実施形態については、上述した実施形態と異なる構成部分を主として説明し、同様の構成部分は同一の符号を付して説明を省略する。特に説明しない構成部分は、上述した実施形態についての説明が適宜適用される。
【００３４】
図６には、ペット用トイレ１の他の実施形態が示されている。図６に示すトイレ１では、第２足置き部３ｄが存在しておらず、出入口３ａの下端周縁が、第１足置き部３ｂ及び立壁部３ｃのみを一体に連設して形成されている。本実施形態によっても上述した実施形態と同様の効果が奏される。
【００３５】
以上、本発明をその好ましい実施形態に基づき説明したが、本発明は前記実施形態に制限されず適宜変更可能である。例えば、上述したペット用トイレ１は、ドーム型のカバー部を備えるものであったが、これに代えて、ペット用トイレ１は、上面が開口したオープン型のカバー部を備えていてもよい。また、第１足置き部３ｂと立壁部３ｃとが射出成形により一体的に連設して分離不能に形成されたものでもよいし、第１足置き部３ｂと立壁部３ｃとを別々のパーツで形成し、それらのパーツをはめ込むなどして一体的に連設して分離可能に形成されたものでもよい。
【符号の説明】
【００３６】
１          ペット用トイレ
２          本体部
２Ａ        本体部の上容器
２Ｂ        本体部の下容器
２ａ        上容器の尿通過部
２ｂ        上容器のフランジ部
２ｃ        下容器のフランジ部
３          カバー部
３Ａ        カバー部のカバー本体
３Ｂ        カバー部の矩形枠
３ａ        カバー部の出入口（出入部）
３ｂ        第１足置き部
３ｃ        立壁部
３ｄ        第２足置き部
４          トレー
４ａ        トレーの把手部
ＦＬ        床面（トイレ載置面）
Ｓ          上容器と下容器の間の空間
【図１】
2020022414.tif 000003
【図２】
2020022414.tif 000004
【図３】
2020022414.tif 000005
【図４】
2020022414.tif 000006
【図５】
2020022414.tif 000007
【図６】
2020022414.tif 000008